【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
ネットワークを介して外部から取得した実行プログラムを記憶するプログラム記憶手段と、
前記プログラム記憶手段に記憶された実行プログラムを実行させることにより画像データを処理する処理手段と、
前記プログラム記憶手段に記憶された実行プログラムの実行回数を記憶する実行回数記憶手段と、
前記実行回数記憶手段に記憶された実行回数を課金情報として扱う制御手段とを有する画像処理装置。
【請求項２】
前記処理手段は、コピー機能、プリンタ機能、及びファクシミリ機能のうちの少なくとも２つ以上の機能の処理を行う請求項１記載の画像処理装置。
【請求項３】
さらに、実行プログラムの格納場所を問い合わせるための情報をネットワークを介して外部に送信する送信手段と、
外部から返信される格納場所から前記実行プログラムを取得する取得手段とを有し、
前記プログラム記憶手段は前記取得手段により取得された実行プログラムを記憶する請求項１又は２記載の画像処理装置。
【請求項４】
画像処理装置とホストコンピュータとファイルサーバと検索サーバがネットワーク上に接続されたネットワークシステムであって、
前記ホストコンピュータは、
画像処理装置で実行する実行プログラムをファイルサーバに格納させるために、ネットワークを介して該実行プログラムをファイルサーバに送信する第１の送信手段と、
前記実行プログラムの格納場所を検索サーバに登録させるために、該格納場所を検索サーバに送信する第２の送信手段とを有し、
前記ファイルサーバは、前記ホストコンピュータから前記実行プログラムを受信して格納する格納手段を有し、
前記検索サーバは、前記ホストコンピュータから前記格納場所を受信して登録する登録手段を有するネットワークシステム。
【請求項５】
画像処理装置と検索サーバがネットワーク上に接続されたネットワークシステムであって、
前記画像処理装置は、実行プログラムの格納場所を問い合わせるための情報を検索サーバに送信する第１の送信手段を有し、
前記検索サーバは、実行プログラムの格納場所を記憶する記憶手段と、前記画像処理装置から前記情報を受信すると前記格納場所を該記憶手段を基に検索して前記画像処理装置に返信する返信手段とを有するネットワークシステム。
【請求項６】
前記画像処理装置は、さらに、前記検索サーバから返信された格納場所を基に前記実行プログラムを取得する取得手段を有する請求項５記載のネットワークシステム。
【請求項７】
前記画像処理装置は、さらに、
原稿画像又は画像データを入力する画像入力手段と、
前記取得手段により取得された実行プログラムを記憶するプログラム記憶手段と、
前記プログラム記憶手段に記憶された実行プログラムを実行させることにより前記画像入力手段により入力された画像データを処理する処理手段と、
前記処理手段により処理された画像データを出力する画像出力手段と、
前記プログラム記憶手段に記憶された実行プログラムを実行させると、その実行回数をカウントして記憶する実行回数記憶手段と、
前記実行回数記憶手段に記憶された実行回数を課金情報としてネットワーク上に送信する第２の送信手段と
を有する請求項６記載のネットワークシステム。
【請求項８】
前記ネットワークにはさらに管理サーバが接続され、該管理サーバは、前記課金情報を受信して決済処理を行う決済手段を有する請求項７記載のネットワークシステム。
【請求項９】
ファイルサーバと画像処理装置と検索サーバがネットワーク上に接続されたネットワークシステムであって、
前記ファイルサーバは、
実行プログラムを記憶する記憶手段を有し、
前記画像処理装置は、
実行プログラムの格納場所を問い合わせるための情報を検索サーバに送信する第１の送信手段と、
検索サーバから返信されるファイルサーバ内の格納場所を基に前記実行プログラムを取得する取得手段とを有し、
前記検索サーバは、
前記ファイルサーバ内の実行プログラムの格納場所を記憶する記憶手段と、
前記画像処理装置から前記情報を受信すると前記ファイルサーバ内の格納場所を該記憶手段を基に検索して前記画像処理装置に返信する返信手段と
を有するネットワークシステム。
【請求項１０】
前記画像処理装置は、さらに、
原稿画像又は画像データを入力する画像入力手段と、
前記取得手段により取得された実行プログラムを記憶するプログラム記憶手段と、
前記プログラム記憶手段に記憶された実行プログラムを実行させることにより前記画像入力手段により入力された画像データを処理する処理手段と、
前記処理手段により処理された画像データを出力する画像出力手段と、
前記プログラム記憶手段に記憶された実行プログラムを実行させると、その実行回数をカウントして記憶する実行回数記憶手段と、
前記実行回数記憶手段に記憶された実行回数を課金情報としてネットワーク上に送信する第２の送信手段と
を有する請求項９記載のネットワークシステム。
【請求項１１】
前記ネットワークにはさらに管理サーバが接続され、該管理サーバは、前記課金情報を受信して決済処理を行う決済手段を有する請求項１０記載のネットワークシステム。
【請求項１２】
ホストコンピュータとファイルサーバと画像処理装置と検索サーバがネットワーク上に接続されたネットワークシステムであって、
前記ホストコンピュータは、
画像処理装置で実行する実行プログラムをファイルサーバに格納させるために、ネットワークを介して該実行プログラムをファイルサーバに送信する第１の送信手段と、
前記実行プログラムの格納場所を検索サーバに登録させるために、該格納場所を検索サーバに送信する第２の送信手段とを有し、
前記ファイルサーバは、
前記ホストコンピュータから前記実行プログラムを受信して格納する格納手段を有し、
前記画像処理装置は、
実行プログラムの格納場所を問い合わせるための情報を検索サーバに送信する第１の送信手段と、
検索サーバから返信されるファイルサーバ内の格納場所を基に前記実行プログラムを取得する取得手段とを有し、
前記検索サーバは、
前記ファイルサーバ内の実行プログラムの格納場所を記憶するための記憶手段と、
前記ホストコンピュータから前記格納場所を受信して前記記憶手段に登録する登録手段と、
前記画像処理装置から前記情報を受信すると前記ファイルサーバ内の格納場所を該記憶手段を基に検索して前記画像処理装置に返信する返信手段と
を有するネットワークシステム。
【請求項１３】
前記画像処理装置は、さらに、
原稿画像又は画像データを入力する画像入力手段と、
前記取得手段により取得された実行プログラムを記憶するプログラム記憶手段と、
前記プログラム記憶手段に記憶された実行プログラムを実行させることにより前記画像入力手段により入力された画像データを処理する処理手段と、
前記処理手段により処理された画像データを出力する画像出力手段と、
前記プログラム記憶手段に記憶された実行プログラムを実行させると、その実行回数をカウントして記憶する実行回数記憶手段と、
前記実行回数記憶手段に記憶された実行回数を課金情報としてネットワーク上に送信する第２の送信手段と
を有する請求項１２記載のネットワークシステム。
【請求項１４】
前記ネットワークにはさらに管理サーバが接続され、該管理サーバは、前記課金情報を受信して決済処理を行う決済手段を有する請求項１３記載のネットワークシステム。
【請求項１５】
（ａ）ネットワークを介して外部から取得した実行プログラムを実行させることにより前記入力された画像データを処理するステップと、
（ｂ）前記実行プログラムを実行の実行回数をカウントするステップと、
（ｃ）前記実行回数を課金情報として扱うステップと
を有する画像処理方法。
【請求項１６】
（ａ）ネットワークを介して外部から取得した実行プログラムを実行させることにより前記入力された画像データを処理するステップと、
（ｂ）前記実行プログラムを実行の実行回数をカウントするステップと、
（ｃ）前記実行回数を課金情報として扱うステップと
をコンピュータに実行させるためのプログラムを記録したコンピュータ読み取り可能な記録媒体。
【手続補正２】
【補正対象書類名】明細書
【補正対象項目名】０００７
【補正方法】変更
【補正の内容】
【０００７】
【課題を解決するための手段】
本発明の一観点によれば、ネットワークを介して外部から取得した実行プログラムを記憶するプログラム記憶手段と、前記プログラム記憶手段に記憶された実行プログラムを実行させることにより画像データを処理する処理手段と、前記プログラム記憶手段に記憶された実行プログラムの実行回数を記憶する実行回数記憶手段と、前記実行回数記憶手段に記憶された実行回数を課金情報として扱う制御手段とを有する画像処理装置が提供される。
【手続補正３】
【補正対象書類名】明細書
【補正対象項目名】００１２
【補正方法】変更
【補正の内容】
【００１２】
本発明のさらに他の観点によれば、（ａ）ネットワークを介して外部から取得した実行プログラムを実行させることにより前記入力された画像データを処理するステップと、（ｂ）前記実行プログラムを実行の実行回数をカウントするステップと、（ｃ）前記実行回数を課金情報として扱うステップとを有する画像処理方法が提供される。
【手続補正４】
【補正対象書類名】明細書
【補正対象項目名】００１３
【補正方法】変更
【補正の内容】
【００１３】
本発明のさらに他の観点によれば、（ａ）ネットワークを介して外部から取得した実行プログラムを実行させることにより前記入力された画像データを処理するステップと、（ｂ）前記実行プログラムを実行の実行回数をカウントするステップと、（ｃ）前記実行回数を課金情報として扱うステップとをコンピュータに実行させるためのプログラムを記録したコンピュータ読み取り可能な記録媒体が提供される。